(57)【特許請求の範囲】
【請求項１】
スライドレールであって、
長手体と、
前記長手体の２つの側から延びた一対の長手支持構造であって、該長手支持構造はそれぞれＵ字状の断面を有するとともに、前記長手体から延びた第１の支持アームと、該第１の支持アームに対して屈曲された第２の支持アームとを含み、該第１の支持アームにはボール軌道が形成され、該第２の支持アームにはボール軌道は形成されず、該第２の支持アームは、前記第１の支持アームのボール軌道が形成される側の反対側に屈曲されて前記長手体及び一対の第１の支持アームによって定義される空間内に位置する、一対の長手支持構造と、
を含むスライドレール。
【請求項２】
前記第１の支持アームは前記第２の支持アームと接触する少なくとも１つの部分を有する、請求項１に記載のスライドレール。
【請求項３】
スライドレールアセンブリであって、
第１の長手体と、該第１の長手体の２つの側から延びた一対の第１のアームとを有する第１のレールであって、該一対の第１のアーム及び該第１の長手体により第１の通路が定義され、第１のボール軌道が各前記第１のアームに形成されるとともに前記第１の通路内に位置している、第１のレールと、
前記第１のレールの第１の通路内を移動可能な第２のレールであって、該第２のレールは、第２の長手体と、該第２の長手体の２つの側から延びた一対の第２のアームとを有し、該一対の第２のアーム及び該第２の長手体により第２の通路が定義され、各前記第２のアームは第１のアーム部及び第２のアーム部を有し、第２の内側ボール軌道が該第１のアーム部に形成され、第２の外側ボール軌道が該第２のアーム部に形成されている、第２のレールと、
前記第２のレールの第２の通路内を移動可能な第３のレールであって、該第３のレールは第３の長手体と、該第３の長手体の２つの側から延びた一対の長手支持構造とを有し、各該支持構造は前記第３の長手体から延びた第１の支持アームと、該第１の支持アームに対して屈曲された第２の支持アームとを含み、該第１の支持アームには第３のボール軌道が形成されて前記第２のレールの第２の内側ボール軌道の方を向けられ、該第２の支持アームにはボール軌道が形成されず、該第２の支持アームは前記第１の支持アームの第３のボール軌道が形成される側の反対側に屈曲されて前記第３の長手体及び一対の第１の支持アームによって定義される空間内に位置する、第３のレールと、
を含むスライドレールアセンブリ。
【請求項４】
前記第３のレールの各前記支持構造は実質的にＵ字状の断面を有する、請求項３に記載のスライドレールアセンブリ。
【請求項５】
前記第３のレールの第１の支持アームは前記第３のレールの第２の支持アームと接触する少なくとも１つの部分を有する、請求項３に記載のスライドレールアセンブリ。
【請求項６】
前記第３のレールは、前記第１の支持アームと前記第２の支持アームとの間に延長連結された連結部をさらに含む、請求項３に記載のスライドレールアセンブリ。
【請求項７】
前記第２のアームは、前記第２のアーム部から延び且つ屈曲された第３のアーム部をさらに有する、請求項３に記載のスライドレールアセンブリ。
【請求項８】
前記第３のアーム部は前記第１のアーム部の方に延びている、請求項７に記載のスライドレールアセンブリ。
【請求項９】
前記第３のアーム部は、前記第１のアーム部に接触する少なくとも１つの部分を有する、請求項７に記載のスライドレールアセンブリ。
【発明の詳細な説明】
【技術分野】
【０００１】
本発明はスライドレール及びスライドレールアセンブリに関し、より具体的には支持能力を高めることが可能なスライドレール及びスライドレールアセンブリに関する。
【背景技術】
【０００２】
スライドレールは、引き出し又はサーバーのシャーシ等の装置を支持するのに一般的に用いられている。クラウド技術の向上が続くのに伴い、企業ユーザーによって電子サーバーが幅広く用いられている。しかしながら、市場調査によれば、現在のサーバーのシャーシは重量化している。一般に、サーバー用のラックは、サーバーの２つの側にスライドレールを取り付けるための空間が低減されるように工業規格の仕様を満たすように設計されている。
【０００３】
特許文献１にはスリムな引き出しスライドが開示されている。該特許文献は、スライドレールの強度を高めるためにＳ字状の断面を有する２つの側を持つ中間レール（middle  rail）を開示する。該特許文献は参考のために記載するものである。
【先行技術文献】
【特許文献】
【０００４】
【特許文献１】米国特許第９１５５３８６号明細書
【発明の概要】
【発明が解決しようとする課題】
【０００５】
スライドレールの支持能力を高めるとともに、限られた空間にスライドレールを取り付けることができるようにすることが重要である。そのような要望に従って、本発明はスライドレールと、該スライドレールの支持能力を高めることが可能なスライドレールアセンブリとを提供する。
【課題を解決するための手段】
【０００６】
本発明は、より優れた支持能力を有するスライドレール及びスライドレールアセンブリに関する。
【０００７】
本発明の一実施形態によれば、スライドレールは長手体（longitudinal  body）と、前記長手体の２つの側から延びた一対の長手支持構造とを含む。該支持構造はそれぞれＵ字状の断面を有するとともに、第１の支持アームと、該第１の支持アームに対して屈曲された第２の支持アームとを含む。ボール軌道（ball  raceway）が該第１の支持アーム及び該第２の支持アームのうちの一方に形成されている。
【０００８】
本発明の別の実施形態によれば、スライドレールアセンブリは第１のレールと、第２のレールと、第３のレールとを含む。第１のレールは第１の長手体と、該第１の長手体の２つの側から延びた一対の第１のアームとを有する。該一対の第１のアーム及び該第１の長手体により第１の通路が定義されている。第１のボール軌道が各前記第１のアームに形成されるとともに前記第１の通路内に位置している。第２のレールは前記第１のレールの第１の通路内を移動可能である。第２のレールは、第２の長手体と、該第２の長手体の２つの側から延びた一対の第２のアームとを有する。該一対の第２のアーム及び該第２の長手体により第２の通路が定義されている。各前記第２のアームは第１のアーム部及び第２のアーム部を有し、第２の内側ボール軌道が該第１のアーム部に形成され、第２の外側ボール軌道が該第２のアーム部に形成されている。第３のレールは前記第２のレールの第２の通路内を移動可能である。第３のレールは第３の長手体と、該第３の長手体の２つの側から延びた一対の長手支持構造とを有する。各該支持構造は第１の支持アームと、第２の支持アームとを含む。第３のボール軌道が該第１の支持アーム及び該第２の支持アームのうちの一方に形成されて前記第２のレールの第２の内側ボール軌道の方を向けられている。
【０００９】
前記第３のレールの各前記支持構造は実質的にＵ字状の断面を有することが好ましい。
【００１０】
前記第３のレールの第１の支持アームは前記第３の長手体から延びていることが好ましい。前記第３のボール軌道は前記第１の支持アームに形成されている。
【００１１】
前記第３のレールの第１の支持アームは前記第３の長手体から延びていることが好ましい。前記第２の支持アームは前記第１の支持アームから延びている。前記第３のボール軌道は前記第２の支持アームに形成されている。
【００１２】
前記第３のレールの第１の支持アームは前記第３のレールの第２の支持アームと接触する少なくとも１つの部分を有することが好ましい。
【００１３】
前記第３のレールは、前記第１の支持アームと前記第２の支持アームとの間に延長連結された（extendedly  connected）連結部をさらに含むことが好ましい。
【００１４】
前記第２のアームは、前記第２のアーム部から延び且つ屈曲された第３のアーム部をさらに有することが好ましい。
【００１５】
前記第３のアーム部は前記第１のアーム部の方に延びていることが好ましい。
【００１６】
前記第３のアーム部は、前記第１のアーム部に接触する少なくとも１つの部分を有することが好ましい。
【００１７】
様々な図面に図示する下記の好ましい実施形態の詳細な説明を読み終えた後、本発明の上記の目的及び他の目的が当業者に間違いなく明らかになる。
【図面の簡単な説明】
【００１８】
【図１】図１は、本発明の一実施形態に係るスライドレールアセンブリを示す図である。
【図２】図２は、本発明の一実施形態に係るスライドレールアセンブリの断面図である。
【図３】図３は、本発明の別の実施形態に係るスライドレールアセンブリのスライドレールの支持構造の部分断面図である。
【発明を実施するための形態】
【００１９】
図１及び図２は、本発明の一実施形態に係るスライドレールアセンブリ１０を示す図である。スライドレールアセンブリ１０は、第１のレール１２と、第２のレール１４と、第３のレール１６とを含む。第１のレール１２は第１の長手体１８を有する。第１の長手体１８の２つの側から一対の第１のアーム２０がそれぞれ延びている。一対の第１のアーム２０及び第１の長手体１８によって第１の通路２２が定義されている。第１のアーム２０のそれぞれに第１のボール軌道２４が形成され、第１の通路２２内に位置している。
【００２０】
第２のレール１４は第１のレール１２の第１の通路２２内を移動可能である。第２のレール１４は第２の長手体２６を有する。第２の長手体２６の２つの側から一対の第２のアーム２８がそれぞれ延びている。一対の第２のアーム２８及び第２の長手体２６により第２の通路３０が定義されている。第２のアーム２８のそれぞれは第１のアーム部３２及び第２のアーム部３４を有する。第２の内側ボール軌道３６が第１のアーム部３２に形成され、第２の通路３０内に位置している。第２の外側ボール軌道３８が第２のアーム部３４に形成され、第２の通路３０の外側に位置している。
【００２１】
第３のレール１６（スライドレールとも呼ぶ）は第２のレール１４の第２の通路３０内を移動可能である。第３のレール１６は第３の長手体４０を有する。第３の長手体４０の２つの側から一対の長手支持構造４２がそれぞれ延びている。長手支持構造４２のそれぞれは第１の支持アーム４４及び第２の支持アーム４６を含む。第３のボール軌道４８は第１の支持アーム４４に形成され、第２のレール１４の第２の内側ボール軌道３６の方を向いている。
【００２２】
スライドレールアセンブリ１０は、第１のレール１２に対して第２のレール１４を容易に動かすことができるように、第１のレール１２の第１のボール軌道２４と第２のレール１４の第２の外側ボール軌道３８との間に取り付けられた第１のボールアセンブリ５０をさらに含むことが好ましい。
【００２３】
スライドレールアセンブリ１０は、第２のレール１４に対して第３のレール１６を容易に動かすことができるように、第２のレール１４の第２の内側ボール軌道３６と第３のレール１６の第３のボール軌道４８との間に取り付けられた第２のボールアセンブリ５２をさらに含むことが好ましい。
【００２４】
第３のレール１６の各支持構造４２は実質的にＵ字状の断面を有することが好ましい。
【００２５】
第３のレール１６の第１の支持アーム４４は第３の長手体４０から延びている。第３のボール軌道４８が第１の支持アーム４４に円弧状に形成されている。
【００２６】
図３に示すように、本発明の別の実施形態では、第３のレール２００は第３の長手体２０２を有する。第３の長手体２０２の２つの側から一対の長手支持構造２０４が延びている（一方側のみを図示）。各支持構造２０４は第１の支持アーム２０６及び第２の支持アーム２０８を含む。第１の支持アーム２０６は第３の長手体２０２から延び、第２の支持アーム２０８は第１の支持アーム２０６から延び、第３のボール軌道２１０が第２の支持アーム２０８に形成されている。
【００２７】
第３のレール１６（又は２００）の第１の支持アーム４４（又は２０６）は第３のレール１６（又は２００）の第２の支持アーム４６（又は２０８）と接触する少なくとも１つの部分を有することが好ましい。
【００２８】
第３のレール１６（又は２００）は、第１の支持アーム４４（又は２０６）と第２の支持アーム４６（又は２０８）との間に延長連結された連結部５４（又は２１２）をさらに含むことが好ましい。
【００２９】
第２のアーム２８は、第２のアーム部３４から延び且つ屈曲された第３のアーム部３５をさらに有することが好ましい。第３のアーム部３５は第１のアーム部３２の方に延び、第３のアーム部３５は第１のアーム部３２と接触する少なくとも１つの部分を有する。そのため、スライドレールアセンブリ１０の支持能力をさらに高めることができる。
【００３０】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３１】
１０  スライドレールアセンブリ
１２  第１のレール
１４  第２のレール
１６  第３のレール
１８  第１の長手体
２０  第１のアーム
２２  第１の通路
２４  第１のボール軌道
２６  第２の長手体
２８  第２のアーム
３０  第２の通路
３２  第１のアーム部
３４  第２のアーム部
３６  第２の内側ボール軌道
３８  第２の外側ボール軌道
４０  第３の長手体
４２  支持構造
４４  第１の支持アーム
４６  第２の支持アーム
４８  第３のボール軌道
５０  第１のボールアセンブリ
５２  第２のボールアセンブリ
５４  連結部
【図１】
0006471135.tif 000002
【図２】
0006471135.tif 000003
【図３】
0006471135.tif 000004